(57)【要約】【課題】複数のパネルが連結されたサークル本体の内部空間が、開閉自在な扉付きの仕切体によって仕切られて住居スペースとトイレスペースに区画されたペット用サークルにおいて、仕切体に取り付けられた扉をスムーズに開閉させることができるペット用サークルを提供する。【解決手段】サークル本体２の内部空間が、仕切体４によって仕切られて住居スペースとトイレスペースに区画されたペット用サークル１において、仕切体４にペットが出入り可能な出入口が開口されるとともに、この出入口を開閉する扉（仕切扉）４３が開閉自在に設けられており、扉４３は、仕切体４の出入口の上下にそれぞれ設けられた２本のガイド用横線材４４に沿ってスライド可能な摺動部材４５を介して仕切体４に取り付けられ、扉４３が左右方向にスライド自在に構成されている。【選択図】  図１
2008035815.tif 000002
【特許請求の範囲】
【請求項１】
複数のパネルが連結されたサークル本体の内部空間が、仕切体によって仕切られて住居スペースとトイレスペースに区画されたペット用サークルにおいて、
前記仕切体にペットが出入り可能な出入口が開口されるとともに、この出入口を開閉する扉が開閉自在に設けられており、
前記扉は、仕切体の出入口の上下にそれぞれ設けられた２本のガイド用横線材に沿ってスライド可能な摺動部材を介して仕切体に取り付けられ、
前記扉が左右方向にスライド自在に構成されたことを特徴とするペット用サークル。
【請求項２】
前記摺動部材は合成樹脂で形成されていることを特徴とする請求項１記載のペット用サークル。
【発明の詳細な説明】
【技術分野】
【０００１】
本発明は、内部に犬や猫などのペットを入れるペット用サークルに関する。
【背景技術】
【０００２】
ペット用サークルは、複数のパネルを連結し、これらのパネルで囲まれた内部にペットを収容するものである。
【０００３】
このようなペット用サークルの内部空間を仕切体によって仕切り、住居スペースとトイレスペースに区画すると、例えば、トイレスペースにはペット用トイレを置いておき、飼い主がペットの排泄時が近づいたと察知すれば、ペットをトイレスペースに誘導し、ペットがトイレでの排泄を終えると、トイレで排泄ができたことを誉めることにより、ペットにトイレの躾を行うことが可能になる。このペット用サークルの場合、仕切体にペットが出入り可能な出入口を開口し、この出入口を開閉する扉を開閉自在に設けると、トイレの躾をより一層好適に行うことができる。
【０００４】
ところで、動物を飼育するために使用されるケージやサークルにおいて、動物を出し入れするために設けられた開口部を開閉する扉は、扉のいずれか一方の端部を軸心として回転するタイプや上下にスライドするタイプのものが多く採用されている（例えば、特許文献１参照。）
【特許文献１】特開平１１−３４１９３２号公報
【発明の開示】
【発明が解決しようとする課題】
【０００５】
しかしながら、上記したケージやサークルは、通常、金属製の番線（例えば鉄線）で形成されており、扉も金属製の番線で形成されている。また、スライドするタイプの扉において、サークルやケージの本体と接触してスライドする摺動部分は、扉を構成する金属製の番線を折り曲げて開口部周縁の番線に引っ掛けるものが多い。このため、特に手作業で番線を折り曲げる場合、折り曲げる長さや形状の誤差が生じるので、スムーズにスライドできないといった問題があった。また、金属と金属とが擦れる際に生じる耳障りな音が発生し、人間やペットに不快感を与えるといった問題もあった。さらに、扉を頻繁に開閉すると経年により錆が発生して、扉が動かなくなるといった問題もあった。
【０００６】
本発明は、このような事情に鑑み創案されたもので、複数のパネルが連結されたサークル本体の内部空間が、開閉自在な扉付きの仕切体によって仕切られて住居スペースとトイレスペースに区画されたペット用サークルにおいて、仕切体に取り付けられた扉をスムーズに開閉させることができるペット用サークルを提供するものである。
【課題を解決するための手段】
【０００７】
上記の目的を達成するため、本発明は、複数のパネルが連結されたサークル本体の内部空間が、仕切体によって仕切られて住居スペースとトイレスペースに区画されたペット用サークルにおいて、前記仕切体にペットが出入り可能な出入口が開口されるとともに、この出入口を開閉する扉が開閉自在に設けられており、前記扉は、仕切体の出入口の上下にそれぞれ設けられた２本のガイド用横線材に沿ってスライド可能な摺動部材を介して仕切体に取り付けられ、前記扉が左右方向にスライド自在に構成されたことを特徴とする。
【０００８】
この発明によれば、扉が仕切体出入口の上下にそれぞれ設けられた２本のガイド用横線材に沿ってスライド可能な摺動部材を介して仕切体に取り付けられているので、摺動部材を設けることにより、扉が左右方向にスライド可能になる。
【０００９】
したがって、例えば、ガイド用横線材に引っ掛けるために、扉を形成する鉄線を手作業で折り曲げる必要がないので、折り曲げる長さや形状の誤差が生じることがなく、一定の滑らかさで扉をスライドさせることができる。また、ガイド用横線材に沿って摺動部材がスライドするので、扉をスムーズに開閉させることができる。さらに、２本のガイド用横線材が仕切体出入口の上下にそれぞれ設けられ、摺動部材がこれらガイド用横線材に沿ってスライドするので、上下の２箇所において扉が仕切体に支持されるため、スライド動作が安定する。
【００１０】
また、扉が左右方向にスライドするので、開閉が容易でかつ、内側に入っている物に影響を与え難い。
【００１１】
この発明によれば、摺動部材が合成樹脂で形成されているので、扉をスムーズに開閉させることができるとともに、金属同士が擦れることがなく、金属と金属とが擦れる際に生じる耳障りな音が発生するおそれがない。また、摺動部材に錆が発生することがなく、錆の発生に起因して扉が動かなくなるといったおそれがない。
【発明の効果】
【００１２】
本発明によれば、複数のパネルが連結されたサークル本体の内部空間が、開閉自在な扉付きの仕切体によって仕切られて住居スペースとトイレスペースに区画されたペット用サークルにおいて、仕切体に取り付けられた扉をスムーズに開閉させることができるペット用サークルを提供することが可能になる。
【発明を実施するための最良の形態】
【００１３】
以下、本発明の一実施形態について、図面を参照して説明する。
【００１４】
図１ないし図３には、本実施形態のペット用サークル１の全体が示されている。
【００１５】
このペット用サークル１は、対向配置される一対の長辺側パネル（以下「正面パネル２ａ、背面パネル２ｂ」という。）とこれら正面パネル２ａ・背面パネル２ｂの対向する側辺間に連結される一対の短辺側パネル（以下「左右の側面パネル２ｃ，２ｄ」という。）によって形成された平面視矩形枠状のサークル本体２と、サークル本体２の下部に取り付けられたトレー６とを備え、サークル本体２の内部空間は、仕切体４によって仕切られ、住居スペース１ａとトイレスペース１ｂに区画されている。
【００１６】
サークル本体２の正面パネル２ａ、背面パネル２ｂの対向する側辺間には、固定棒２０を介して左右の側面パネル２ｃ，２ｄが連結されている。
【００１７】
各パネル２ａ，２ｂ，２ｃ，２ｄは、木製の上フレーム２１と下フレーム２２と、これら上フレーム２１と下フレーム２２との間に取り付けられる金属製の網状体とから構成されている。
【００１８】
なお、各パネル２ａ，２ｂ，２ｃ，２ｄは、上フレーム２１と下フレーム２２との間をすべて網状体で構成するものに限定されるものではなく、例えば、上フレーム２１と下フレーム２２との間の一部に板状体を挿入することにより、サークル本体２の内部空間への外部からの刺激を軽減して、ペットが落ち着くことのできる空間となるようにしてもよい。また、下フレーム２２の床面と接地する面に、床の傷付きを防止する滑り止め部材を設けてもよい。
【００１９】
正面パネル２ａの上フレーム２１と背面パネル２ｂの上フレーム２１において、住居スペース１ａとトイレスペース１ｂの境界に対応する位置には、仕切体４を嵌め込む仕切体嵌め込み部２１ａが切り欠かれている。
【００２０】
この仕切体嵌め込み部２１ａには、後述する仕切体４の嵌入部４２が嵌め込まれるように構成されており、嵌入部４２に形成された嵌入孔４２ａに嵌入されるダボ２１ｂが突設されている。
【００２１】
正面パネル２ａの住居スペース１ａに対応する側には、ペットが出入り可能なペット出入口２ｅが開口されており、このペット出入口２ｅを開閉するペット用扉３が開閉自在に取付けられている。
【００２２】
ペット出入口２ｅは、正面パネル２ａの下端部から上端部にわたって広く開口されており、ペットが出入りし易いように図られている。
【００２３】
また、正面パネル２ａのうち、ペット出入口２ｅの右端側は、ペット用扉３を開閉自在に取り付ける扉取付部２ｆとされている。一方、正面パネル２ａのうち、ペット出入口２ｅの左端側は、ペット用扉３を閉じた状態で、ペット用扉３の自由端部が近接する扉受け部２ｇとされている。
【００２４】
この扉受け部２ｇには、後述する突き出し部３２と係合する受け部２３ａが上下２個所に取り付けられており、ペット用扉３を閉じた状態において、突き出し部３２と受け部２３ａを係合することでペット用扉３をロックすることができるように図られている。
【００２５】
さらに、正面パネル２ａのうち、上側の受け部２３ａと扉取付部２ｆを挟んで略対称な位置に、反転受け部２３ｂが設けられており、ペット用扉３を閉じた状態から開いて反転させた状態において、上側の突き出し部３２と反転受け部２３ｂとが係合することで、ペット用扉３をロックすることができるように図られている。
【００２６】
ペット用扉３は、ペット出入口２ｅに対応する形状に形成された網状のパネル体であって、一方の側端部が扉取付部２ｆに枢着されている。また、他方の側端部（自由端部）には、ロック部材３０、およびペット用扉３を閉じた状態でサークル本体２の扉受け部２ｇに当接する当接部３ａが設けられている。
【００２７】
ロック部材３０は、図４に示すように、左右方向にスライドし、ペット用扉３の自由端部から出没自在な突き出し部３２が上下２個所に設けられた係合体３１と、ペット用扉３の自由端部から突出する方向に係合体３１を付勢するバネ３３が内蔵され、係合体３１と連動してスライドすることで、係合体３１と受け部２３ａ・反転受け部２３ｂとの係合・解除を操作する操作部３４と、操作部３４をガイドするレール部３７とから構成されている。
【００２８】
係合体３１は、線材の上下端部が同方向に屈曲されて突き出し部３２が形成されたものである。
【００２９】
操作部３４は、合成樹脂製のケース３５の内部にバネ３３がケース３５の一方の端部から出入可能に取り付けられている。このバネ３３は、基端部がケース３５の内部に取り付けられ、先端部がペット用扉３の自由端部に取り付けられている。そして、バネ３３によって、突き出し部３２が自由端部から突出する方向に付勢され、外力を加えない状態においては、突き出し部３２がペット用扉３の自由端部から突出して、受け部３２と係合できるようになされている（図４（ａ）参照）。一方、この付勢方向と逆方向に力を加えることにより、突き出し部３２がペット用扉３側に引き込まれ、受け部２３ａから突き出し部３２を外すことができるようになされている（図４（ｂ）参照）。
【００３０】
ケース３５は、係合体３１が縦方向に貫通しており、係合体３１がケース３５に連動するようになされている。さらに、レール部３７が横方向に貫通しており、レール部３７に沿って左右方向にスライドするようになされている。このように構成されているので、ケース３５がレール部３７に沿って左右方向にスライドすれば、係合体３１も連動して左右方向にスライドする。
【００３１】
また、ケース３５には、把持部３６ａ，３６ｂが表と裏にそれぞれ形成されており、手で操作し易いように図られている。表側の把持部３６ａは、ペット用扉３を閉じてロックする際、および閉じた状態においてペット用扉３を開ける際に用いる。一方、裏側の把持部３６ｂは、ペット用扉３を閉じた状態から開いて反転させた状態においてペット用扉３をロックする際、およびこのロックを解除する際に用いる（図５、図６参照）。
【００３２】
レール部３７は、水平方向に平行な２本の線材で構成されており、左端部は、ペット用扉３の自由端部に接続され、右端部には縦部材が設けられるとともにペット用扉３の縦方向の線材に接続されて操作部３４のスライド範囲が規制されている。
【００３３】
仕切体４は、図１、図２、図３、図７に示すように、仕切フレーム４１と網状体とが組み合わされたパネルで構成されており、仕切出入口４ａが開口されている。
【００３４】
仕切フレーム４１は、両端に嵌入部４２が形成された断面矩形状の角材であって、嵌入部４２をサークル本体２の仕切体嵌め込み部２１ａに嵌め込むことにより、仕切体４をサークル本体２に取り付けるようになされている。
【００３５】
嵌入部４２には、図８に示すように仕切体嵌め込み部２１ａに突設されたダボ２１ｂが嵌入される嵌入孔４２ａが形成されている。
【００３６】
このように、仕切フレーム４１の嵌入孔４２ａに仕切体嵌め込み部２１ａのダボ２１ｂが嵌入されることにより、仕切フレーム４１（仕切体４）が正面パネル２ａ・背面パネル２ｂ間に係合され、正面パネル２ａ・背面パネル２ｂ間の間隔が変動する（広がったり、狭まったりする）のを阻止し、サークルと２の形状を保持することができる。したがって、仕切体４を確実に取り付けることができる。
【００３７】
なお、トイレの躾が終了したあとに一旦仕切体４を外してペット用サークル１を使用し、再び仕切体４を取り付ける場合においても、仕切体４の取り付け位置がずれることがなく、好適に取り付けることができる。この場合において、仕切体４の不使用時には、図９に示すキャップ２１ｃでダボ２１ｂを被覆することにより、ペットや人がダボ２１ｂに指などを引っ掛けて損傷を受けることがないように図られている。
【００３８】
また、正面パネル２ａには、ペット出入り口２ｅやトイレ出し入れ口５ａが開閉自在に設けられているが、例えば、サークル本体２内のペットが外方に向かって力を加えたり、外部からサークル本体２の内部に向かって力が加えられたとしても上記のように正面パネル２ａ・背面パネル２ｂ間の間隔の変動が阻止されることから、サークル本体２の形状が保持され、ペット出入り口２ｅやトイレ出し入れ口５ａを常にスムーズに開閉することができる。
【００３９】
なお、正面パネル２ａ・背面パネル２ｂ間の間隔の変動を阻止してサークル本体２の形状を保持する手段としては、上記したように、相対向する正面パネル２ａ・背面パネル２ｂの上フレーム２１間に仕切フレーム４１（仕切体４）を架け渡すとともに、仕切フレーム４１の嵌入孔４２ａに仕切体嵌め込み部２１ａのダボ２１ｂを嵌め込むことに限定されるものではない。例えば、、ダボ２１ｂと嵌入孔４２ａを設けることなく、図１０（ａ）に示すように、仕切フレーム４１の嵌入部４２にＬ型金具４２ｂを取り付けて、仕切体嵌め込み部２１ａに嵌め込み、Ｌ型金具の垂直部分４２ｃで正面パネル２ａ・背面パネル２ｂの上フレーム２１を挟むように構成してもよい。あるいは、図１０（ｂ）に示すように、仕切フレーム４１の嵌入部４２と仕切体嵌め込み部２１ａとが凹凸嵌合されるように構成してもよい。このような手段によっても、好適に正面パネル２ａ・背面パネル２ｂ間の間隔が広がるのを阻止することができる。
【００４０】
仕切出入口４ａは、仕切体４の下端部から上端部にわたって広く開口されており、ペットが出入りし易いように図られており、この仕切出入口４ａを開閉する仕切扉４３が開閉自在に取り付けられている。
【００４１】
この仕切出入口４ａの上下に対応する仕切体４には、仕切体４の左端部から右端部にわたって２本のガイド用横線材４４が平行に取り付けられており、仕切扉４３には、これらガイド用横線材４４に沿ってスライド可能な摺動部材４５がそれぞれ取り付けられている。
【００４２】
摺動部材４５は、図１１に示すように、一端部が、環状部材の一部が切りかかれてガイド用横線材４４に嵌め込まれる横線材取付部４５ａとされるとともに、他端部が、仕切扉４３の上下の端縁に取り付けられる仕切扉取付部４５ｂとされている。
【００４３】
この摺動部材４５は、合成樹脂（例えばプラスチック）で形成されている。また、横線材取付部４５ａは、ある程度の余裕（遊び）をもってガイド用横線材４４に嵌め込まれるように形成されており、ガイド用横線材４４に沿ってスムーズにスライドできるように図られている。さらに、横線材取付部４５ａの切り欠きからガイド用横線材４４を容易に嵌め込むことができるので、組み立てが容易で短時間にでき、コストの削減にも寄与することができる。
【００４４】
ここで、横線材取付部４５ａの切り欠きの間隔は、ガイド用横線材４４の直径よりも小さく設定されている。そして、横線材取付部４５ａは、この切り欠き部分を除いて環状に形成されているので、この環状部分によりガイド用横線材４４を確実に保持するため、外力が加わった場合であっても、簡単に外れることがない。
【００４５】
この摺動部材４５は、仕切扉４３の上下２箇所、および左右２箇所の合計４箇所に取り付けられており、仕切扉４３を安定して開閉することができるように図られている。
【００４６】
一方、摺動部材４５の仕切扉取付部４５ｂは、仕切扉４３の両側端部４３ａ，４３ｂの上下の端縁に嵌め込むことにより、仕切扉４３に取り付けられるようになされている。このように上下方向に仕切扉４３に取り付けるので、取付作業が簡単である。
【００４７】
また、仕切扉４３の上部の左右の端部には、突出枠４６がそれぞれ形成されているとともに、この突出枠４６に対応する正面パネル２ａと背面パネル２ｂには、突出枠４６の上端に当接して仕切扉４３のずり上がりを阻止する係止棒２４が設けられている（図２参照）。したがって、仕切扉４３のずり上がりを仕切出入口４ａの開放状態・閉鎖状態の双方において防止できるようになされている。
【００４８】
さらに、仕切扉４３の突出枠４６よりも若干下側に位置する左右の端部には、把手４７がそれぞれ形成されており、使用者（飼い主）がこの把手４７に手を掛けて仕切扉４３を動かすことができるように図られている。
【００４９】
さらにまた、仕切体４の仕切出入口４ａ側の端縁４０には、掛け止め部材４８が回動自在に取り付けられている。この掛け止め部材４８は金属製の線材を屈曲して形成され、縦線材を挟み込んで係止するとともに、回動させることで係止を解除することができるようになされている。したがって、仕切扉４３を閉じたときには、仕切扉４３の一方の側端部４３ａを掛け止め部材４８で係止することで、仕切出入口４ａの閉鎖状態を保持することができる（図７（ａ）参照）。一方、仕切扉４３を開けたときには、仕切扉４３の他方の側端部４３ｂを掛け止め部材４８で係止することで、仕切出入口４ａの開放状態を保持することができる（図７（ｂ）参照）。
【００５０】
なお、仕切体４は、嵌入部４２をサークル本体２の仕切体嵌め込み部２１ａから外すことにより、容易に取り外すことができる。このように、仕切体４を取り外すことで、例えばトイレの躾が完了したペットに対しては、住居スペース１ａとトイレスペース１ｂとの間を常に自由に行き来できるようにすることも可能になる。
【００５１】
正面パネル２ａのトイレスペース１ｂに対応する側の下部には、ペット用トイレを出し入れ可能なトイレ出し入れ口５ａが開口されており、このトイレ出し入れ口５ａを開閉するトイレ用扉５が開閉自在に取付けられている（図５、図６参照）。
【００５２】
トイレ出し入れ口５ａは、ペット用トイレの幅よりも若干広幅の横長形状に形成されており、ペット用トイレＡを出し入れし易いように図られている。
【００５３】
トイレ用扉５は、トイレ出し入れ口５ａに対応する形状に形成された網状のパネル体であって、下端部の縦線材が屈曲されてヒンジ部５１が形成されている。このヒンジ部５１は、トイレ出し入れ口５ａの下端側の正面パネル２ａの端部の横線材２５に嵌め込まれて、この横線材２５回りにトイレ用扉５が回動するようになされている。
【００５４】
また、トイレ出し入れ口５ａの上端側の正面パネル２ａには、トイレ用扉５の上端部を係止するストッパ５２が取り付けられている。
【００５５】
このストッパ５２は、合成樹脂素材で形成されており、図５、図６に示すように、トイレ出し入れ口５ａの上端側の正面パネル２ａの２本の縦線材２６に沿って上下方向に摺動自在に取り付けられている。ストッパ５２の表面には摘み部５３が形成され、使用者がこの摘み部５３に手を掛けてストッパ５２を動かすことができるように図られている。一方ストッパ５２の裏面には、爪部５４が形成されており、トイレ出し入れ口５ａを閉鎖した状態において、ストッパ５２を下方向に摺動させ、トイレ出し入れ口５ａ上端縁の横線材５５を爪部５４で係止することにより、閉鎖状態を保持することができるように図られている。
【００５６】
また、ストッパ５２を上方向に摺動させたときに、正面パネル２ａの所定位置に横線材２７が設けられており、摺動範囲が規制されている。
【００５７】
なお、本実施形態においては、トイレ用扉５は、ヒンジ部５１を介して回動するように構成されているが、トイレ用扉５を開閉する手段は、ヒンジを用いて回動させることに限定されるものではなく、例えば、スライドさせることによってもよい。
【００５８】
トレー６は、図１２に示すように、外周にわたって周壁部６１が立ち上げられており、排泄物や飲食物がサークル本体２内にこぼれた場合であっても、これらの汚物などがサークル本体２の木製の下フレームに直接かかって木材が腐敗することがないように図られている。また、トレー６は、住居スペース１ａに対応する住居側トレー部６ａとトイレスペース１ｂに対応するトイレ側トレー部６ｂに区画されており、住居側トレー部６ａとトイレ側トレー部６ｂの境界にわたって漏れ止め用突部６２が形成されている。
【００５９】
また、仕切体４に対応する位置には、突起６３が３個所形成されており、仕切体４の下端部を突起６３と漏れ止め用突部６２との間に嵌め込んで、仕切体４のガタツキを防止できるようになされている。
【００６０】
さらに、トイレ側トレー部６ｂには、ペット用トイレを所定位置で静止させるトイレ静止用突部６４が形成されている。このトイレ静止用突部６４は、ペット用トイレＡの外枠に嵌め込まれるように形成されており、ペットの動きに伴ってペット用トイレＡが動くことがなくなり、好適に排便等をさせることを可能にしている。
【００６１】
次に、上記構成のペット用サークル１を組み立てる手順について説明する。
【００６２】
まず、正面、背面、左右の側面の４枚のパネル２ａ，２ｂ，２ｃ，２ｄを固定棒２０を介して連結し、サークル本体２を組み立てる。
【００６３】
次いで、トレー８をサークル本体２内に設置する。
【００６４】
続いて、サークル本体２の上方から仕切体４を挿入していき、仕切体４の下端部をトレー６の嵌入部に嵌め込むとともに、正面パネル２ａの上フレーム２１と背面パネル２ｂの上フレーム２１の仕切体嵌め込み部２１ａに仕切体４を嵌め入れる。仕切体４を嵌め入れる際、突出枠４６を係止棒２４の下部に挿入する（図１参照）。
【００６５】
この場合において、仕切フレーム４１の嵌入孔４２ａに仕切体嵌め込み部２１ａのダボ２１ｂを嵌め込み、正面パネル２ａ・背面パネル２ｂ間の間隔が広がるのを阻止する。
【００６６】
なお、上記仕切体４には、あらかじめ仕切扉４３を取り付けておくが、仕切扉４３を仕切体４に取り付ける際は、摺動部材４５をガイド用横線材４４に嵌め込むことによる。
【００６７】
次に、上記構成のペット用サークル１の使用方法の一例について説明する。
【００６８】
まず、ペット用トイレをサークル本体２のトイレスペース１ｂに設置する、この際、ペット用トイレの外枠をトレー６のトイレ静止用突起６４に嵌め込んで、ペット用トイレＡが不測に動かないようにする。
【００６９】
次いで、ペット出入口２ｅを開けて、ペットをサークル本体２内に入れる。
【００７０】
使用者がペットの排泄が近づいてきたと察知した場合、仕切扉４を開けて、ペットをトイレスペース１ｂのペット用トイレＡに誘導する。その後、仕切扉４を閉鎖し、ロックする。
【００７１】
ペットがペット用トイレＡで排泄し終えると、トイレで排泄したことを誉め、仕切扉４を開けて、住居スペース１ａにペットを入れる。
【００７２】
ペット用トイレＡのシーツを交換する際には、トイレ出し入れ口５ａを開けて、ペット用トイレを取り出し、トイレ用扉５を閉めてストッパで係止する。使用者は、楽な姿勢でシーツを交換することができ、シーツ交換中はトイレ出し入れ口５ａを閉鎖しておくことができるので、安全である。
【００７３】
以上説明したように構成されているので本発明のペット用サークル１によれば、サークル本体２の内部空間が住居スペース１ａとトイレスペース１ｂに区画されているので、トイレスペース１ｂをペット用トイレを置くためだけの空間として使用することができる。したがって、サークル本体２内にペット用トイレを置いた場合であっても、ペットは、住居スペース１ａでゆとりを持って快適に過ごすことができる。また、住居スペース１ａには、食器やベッドを置くことができるので、使い勝手がよい。
【００７４】
また、住居スペース１ａとトイレスペース１ｂとの間が仕切体４によって仕切られているので、飼い主がペットをトイレに誘導するのが容易で、トイレに誘導されたペットは、トイレから離れることがない。したがって、ペットに対してトイレの躾を好適に行うことが可能になる。
【００７５】
この場合において、仕切体４の両端部（嵌入部４２）と該両端部に対応する正面パネル２ａ・背面パネル２ｂが係合されることにより、相対向する正面パネル２ａ・背面パネル２ｂ間の間隔の変動が阻止され、サークル本体２の形状が保持されるので、仕切体４がずれたり、サークル本体２から不測に外れることがない。
【００７６】
さらに、仕切体４に仕切出入口４ａが開口されているので、この仕切出入口４ａを介してペットが住居スペース１ａとトイレスペース１ｂとの間を行き来できる。したがって、トイレの躾を行う際に、飼い主がペットをトイレに誘導し易いので便利である。
【００７７】
また、仕切出入口４ａの開放時および閉鎖時に仕切扉４３を係止することができるので、仕切出入口４ａを開放状態および閉鎖状態で保持することができる。したがって、閉鎖した仕切出入口４ａの仕切扉４３をペットが開けるのを防止できるとともに、仕切出入口４ａを開放した状態でペットが住居スペース１ａとトイレスペース１ｂとの間を安全で自由に行き来することができる。そして、トイレの躾を終えたペットに対しては、仕切出入口４ａを常に開放状態に保持し、住居スペース１ａとトイレスペース１ｂとの間を安全で自由に行き来できるようにすることもできる。
【００７８】
さらにまた、サークル本体２の住居スペース１ａ側のパネルにペット出入口２ｅが開口されているので、このペット出入口２ｅを介してペットが住居スペース１ａと外部との間を行き来できる。また、ペット出入口２ｅの開放時および閉鎖時にペット用扉３を係止することができるので、ペット出入口２ｅを開放状態および閉鎖状態で保持することができる。したがって、閉鎖したペット出入口２ｅのペット用扉３をペットが開けるのを防止できるとともに、ペット出入口２ｅを開放した状態で、ペットが住居スペース１ａと外部との間を安全で自由に行き来することができる。
【００７９】
加えて、サークル本体２のトイレスペース１ｂ側のパネルにトイレ出し入れ口５ａが開口されているので、このトイレ出し入れ口５ａを介してペット用トイレを出し入れすることができる。したがって、サークル本体２の上部から一々ペット用トイレを出し入れする必要がなく、飼い主が楽にペット用トイレの出し入れをすることが可能になる。また、トイレ出し入れ口５ａの閉鎖時にトイレ用扉５を係止することができるので、トイレ出し入れ口５ａを閉鎖状態で保持することができる。したがって、閉鎖したトイレ出し入れ口５ａのトイレ用扉５をペットが開けたり、トイレ用扉５が不測に開いてしまうのを防止できる。
【００８０】
また、サークル本体２の下部にトレー６が設けられているので、ペットが飲食物をこぼしたり、糞尿をトイレ外にしてしまった場合であっても、サークル１を載置している床面を汚すことが防止できる。また、トレー６が住居側トレー部６ａとトイレ側トレー部６ｂとに区画され、この境界にわたって漏れ止め用突部６２が設けられているので、例えば、トイレスペースでペットが糞尿等を漏らしてしまった場合であっても、汚物が住居スペース１ａに流れ出すことが防止できる。したがって、清潔で快適な環境で使用することができる。さらに、トレーの仕切体４に対応する位置には、仕切体４の下端部を嵌め込む嵌入部４２が形成されているので、仕切体４のガタツキを防止することができる。
【００８１】
以上、本発明の実施の形態について、一例としての実施例について説明したが、上述した実施例に限られるものではない。
【産業上の利用可能性】
【００８２】
本発明は、複数のパネルが連結されたサークル本体の内部空間が、開閉自在な扉付きの仕切体によって仕切られて住居スペースとトイレスペースに区画されたペット用サークルにおいて、仕切体に取り付けられた扉をスムーズに開閉させることができるペット用サークルに適用できる。
【図面の簡単な説明】
【００８３】
【図１】本発明に係るペット用サークルの全体を分解して示す斜視図である。
【図２】図１のペット用サークルを組み立てた状態を示す斜視図である。
【図３】図１のペット用サークルの各扉を開けた状態を示す斜視図である。
【図４】図１のペット用サークルのロック部材を示す斜視図である。
【図５】図１のペット用サークルの正面パネルを示す斜視図である。
【図６】図５の正面パネルの各扉を開けた状態を示す斜視図である。
【図７】図１のペット用サークルの仕切体を示す斜視図である。
【図８】図７の仕切体を嵌め込む構造を示す斜視図である。
【図９】仕切体の不使用時に使用するキャップを示す斜視図である。
【図１０】図７の仕切体を嵌め込む構造の他の例を示す断面図である。
【図１１】仕切扉に取り付けられた摺動部材を示す斜視図である。
【図１２】図１のペット用サークルのトレーを示す斜視図である。
【符号の説明】
【００８４】
１      ペット用サークル
１ａ    住居スペース
１ｂ    トイレスペース
２      サークル本体
２１ａ  仕切体嵌め込み部
２１ｂ  ダボ
３      ペット用扉
４      仕切体
４２    嵌入部
４２ａ  嵌入孔
４３    仕切扉
４４    ガイド用横線材
４５    摺動部材
５      トイレ用扉
６      トレー
【図１】
2008035815.tif 000003
【図２】
2008035815.tif 000004
【図３】
2008035815.tif 000005
【図４】
2008035815.tif 000006
【図５】
2008035815.tif 000007
【図６】
2008035815.tif 000008
【図７】
2008035815.tif 000009
【図８】
2008035815.tif 000010
【図９】
2008035815.tif 000011
【図１０】
2008035815.tif 000012
【図１１】
2008035815.tif 000013
【図１２】
2008035815.tif 000014